(57)【要約】【課題】筐体内に粉塵が入ることを抑制できる画像形成装置を提供すること。【解決手段】  外部機器に接続可能なコネクタ５０を有するプリンタ１において、コネクタ５０を有する制御回路基板４５を被覆する絶縁性の絶縁カバー４６に、制御回路基板４５をアースする支持基板４７の露出部５６とコネクタ５０との隙間に挿入される挿入部６３を設ける。【選択図】図７
2014108544.tif 000002
【特許請求の範囲】
【請求項１】
記録媒体に画像を形成するための画像形成部と、前記画像形成部の動作を制御するための制御部と、前記画像形成部および前記制御部を収容する筐体とを備える画像形成装置であって、
前記制御部は、
前記筐体の外部に露出するコネクタを有する回路基板と、
前記回路基板をアースするように構成されるアース部材と、
前記回路基板を被覆する絶縁性の被覆部材と
を備え、
前記コネクタは、前記回路基板に支持される支持部を備え、
前記アース部材は、前記回路基板に接続される第１部分と、前記コネクタの周囲に配置される第２部分とを備え、
前記被覆部材は、前記コネクタと前記第２部分との隙間を閉鎖するための閉鎖部を備える
ことを特徴とする、画像形成装置。
【請求項２】
前記制御部は、前記回路基板に隣接配置される第２回路基板を備え、
前記被覆部材は、前記回路基板と前記第２回路基板との間に配置される絶縁部を備える
ことを特徴とする、請求項１に記載の画像形成装置。
【請求項３】
前記制御部は、前記回路基板に電気的に接続され、前記第２回路基板の周囲に配置される配線を備え、
前記第２回路基板は、変圧器を備え、
前記絶縁部は、前記配線と前記変圧器との間に配置される
ことを特徴とする、請求項２に記載の画像形成装置。
【請求項４】
前記回路基板を支持するフレームを備え、
前記フレームは、前記絶縁部を係止する係止部を備えている
ことを特徴とする、請求項２または３に記載の画像形成装置。
【請求項５】
前記筐体には、前記回路基板に対向される開口が形成されている
ことを特徴とする、請求項１ないし４のいずれか一項に記載の画像形成装置。
【請求項６】
前記閉鎖部は、屈曲された状態で、前記コネクタと前記第２部分との隙間内に配置されている
ことを特徴とする、請求項１ないし５のいずれか一項に記載の画像形成装置。
【発明の詳細な説明】
【技術分野】
【０００１】
本発明は、ＵＳＢメモリなどの外部機器に接続可能な画像形成装置に関する。
【背景技術】
【０００２】
画像形成装置として、ＵＳＢメモリやパーソナルコンピュータなどの外部機器から画像情報を取得し、その画像情報に基づいて記録媒体に画像を形成する画像形成装置が知られている。
【０００３】
例えば、装置本体の一側面に、外部機器接続用のＵＳＢコネクタを備えるファクシミリ装置が提案されている（たとえば、下記特許文献１参照。）。
【先行技術文献】
【特許文献】
【０００４】
【特許文献１】特開２００７−３０４３３０号公報
【発明の概要】
【発明が解決しようとする課題】
【０００５】
しかるに、上記した特許文献１に記載のファクシミリ装置のように、装置本体に外部機器接続用のコネクタが設けられている画像形成装置では、コネクタを使用するときにユーザがコネクタに触れる場合がある。
【０００６】
そのため、静電気を除去するための導電性部材をコネクタの周囲に配置することが、検討される。
【０００７】
しかし、コネクタや導電性部材には、それぞれ、公差分の寸法誤差が生じるため、コネクタや導電性部材を装置本体に組み付けたときには、コネクタと導電性部材との間に、寸法誤差に応じた隙間が発生する場合がある。
【０００８】
コネクタと導電性部材との間に隙間が発生すると、その隙間を介して装置本体内に粉塵が入るおそれがある。
【０００９】
そこで、本発明の目的は、筐体内に粉塵が入ることを抑制できる画像形成装置を提供することにある。
【課題を解決するための手段】
【００１０】
（１）上記した目的を達成するために、本発明の画像形成装置は、記録媒体に画像を形成するための画像形成部と、画像形成部の動作を制御するための制御部と、画像形成部および制御部を収容する筐体とを備える。
【００１１】
制御部は、筐体の外部に露出するコネクタを有する回路基板と、回路基板をアースするように構成されるアース部材と、回路基板を被覆する絶縁性の被覆部材とを備える。
【００１２】
コネクタは、回路基板に支持される支持部を備える。
【００１３】
アース部材は、回路基板に接続される第１部分と、コネクタの周囲に配置される第２部分とを備える。
【００１４】
被覆部材は、コネクタと第２部分との隙間を閉鎖するための閉鎖部を備える。
【００１５】
このような構成によれば、コネクタやアース部材の寸法誤差に起因してコネクタと第２部分との間に発生する隙間を、回路基板を被覆する被覆部材の閉鎖部で閉鎖することができる。
【００１６】
そのため、コネクタとアース部材との寸法誤差を許容しながら、コネクタと第２部分との隙間を、別の部材を設けることなく、被覆部材を利用して閉鎖することができる。
【００１７】
その結果、簡易な構成で、コネクタと第２部分との隙間を閉鎖でき、筐体内に粉塵が入ることを抑制できる。
（２）また、制御部は、回路基板に隣接配置される第２回路基板を備えてもよい。この場合、被覆部材は、回路基板と第２回路基板との間に配置される絶縁部を備えてもよい。
【００１８】
このような構成によれば、被覆部材の絶縁部により、回路基板と第２回路基板とを絶縁することができる。
（３）また、制御部は、回路基板に電気的に接続され、第２回路基板の周囲に配置される配線を備えてもよい。また、第２回路基板は、変圧器を備えてもよい。この場合、絶縁部は、配線と変圧器との間に配置されてもよい。
【００１９】
変圧器の周囲に配線が配置されていると、変圧器の樹脂製のケーシングが、変圧器と配線との間に発生する電界に起因して、電界内の気体中に発生するオゾンによって酸化されたり、電界内の気体中に含まれる荷電粒子が衝突したりして劣化し、ひいては、変圧器が故障するおそれがある。
【００２０】
しかし、このような構成によれば、被覆部材の絶縁部により、配線と変圧器との間を遮蔽する。
【００２１】
そのため、変圧器と配線との間に電界が発生することを抑制でき、変圧器の故障を抑制できる。
（４）また、本発明の画像形成装置は、回路基板を支持するフレームを備えてもよい。この場合、フレームは、絶縁部を係止する係止部を備えていてもよい。
【００２２】
このような構成によれば、絶縁部をフレームの係止部に係止することができる。
【００２３】
そのため、配線と変圧器との間を、絶縁部で確実に遮蔽できる。
（５）また、筐体には、回路基板に対向される開口が形成されていてもよい。
【００２４】
このような構成によれば、筺体の開口を介して、回路基板周辺の空気を排出することができる。
（６）また、閉鎖部は、屈曲された状態で、コネクタと第２部分との隙間内に配置されていてもよい。
【００２５】
このような構成によれば、第２部分との隙間に応じて閉鎖部を屈曲させて、簡易な構成で、確実に隙間を閉鎖することができる。
【発明の効果】
【００２６】
本発明の画像形成装置によれば、筐体内に粉塵が入ることを抑制できる。
【図面の簡単な説明】
【００２７】
【図１】図１は、本発明の画像形成装置の一実施形態としてのプリンタを示す中央断面図である。
【図２】図２は、図１に示す本体ケーシングの右端部を説明するための説明図であって、（ａ）は、本体ケーシングの右側面図であり、（ｂ）は、本体ケーシングの右端部を左後側から見た斜視図である。
【図３】図３は、図２（ａ）のＡ−Ａ断面図である。
【図４】図４は、図３に示す制御部の前下側から見た斜視図である。
【図５】図５は、図３に示す制御部の前上側から見た斜視図である。
【図６】図６は、図３に示す制御部の後上側から見た分解斜視図である。
【図７】図７は、図６に示す支持基板、絶縁カバー、制御回路基板および高圧電源基板を内側フレームに組み付けた状態を示す、後上側から見た斜視図である。
【発明を実施するための形態】
【００２８】
１．プリンタの全体構成
図１に示すように、画像形成装置の一例としてのプリンタ１は、本体ケーシング２を備えている。また、プリンタ１は、本体ケーシング２の内部において、記録媒体の一例としての用紙Ｐに画像を形成する画像形成部３を備えている。
【００２９】
なお、以下の説明において、プリンタ１の方向に言及するときには、プリンタ１を水平に載置した状態を上下の基準とする。すなわち、図１の紙面上側が上側であり、紙面下側が下側である。また、図１の紙面左側が前側であり、図１の紙面右側が後側である。また、プリンタ１を前側から見たときを左右の基準とする。すなわち、図１の紙面手前側が右側であり、紙面奥側が左側である。
【００３０】
画像形成部３は、プロセスユニット４と、スキャナユニット５と、定着ユニット６とを備えている。
【００３１】
プロセスユニット４は、本体ケーシング２の上下方向略中央に配置されている。プロセスユニット４は、ドラムユニット７と、現像ユニット８とを備えている。
【００３２】
ドラムユニット７は、感光ドラム９と、転写ローラ１０と、スコロトロン型帯電器１１とを備えている。
【００３３】
感光ドラム９は、所定方向の一例としての左右方向に延びる略円筒形状に形成されており、ドラムユニット７の後端部に、回転可能に設けられている。
【００３４】
転写ローラ１０は、感光ドラム９の後側に、回転可能に設けられている。転写ローラ１０は、感光ドラム９に対して後側から圧接されている。
【００３５】
スコロトロン型帯電器１１は、感光ドラム９の上側に間隔を隔てて対向配置されている。
【００３６】
現像ユニット８は、現像ローラ１２と、供給ローラ１３と、層厚規制ブレード１４とを備えている。
【００３７】
現像ローラ１２は、現像ユニット８の後端部に回転可能に設けられている。また、現像ローラ１２は、感光ドラム９に対して前下側から接触されている。
【００３８】
供給ローラ１３は、現像ローラ１２の前下側に回転可能に設けられている。また、供給ローラ１３は、現像ローラ１２に対して前下側から接触されている。
【００３９】
層厚規制ブレード１４は、現像ローラ１２の前上側に配置されている。層厚規制ブレード１４は、現像ローラ１２に前側から接触されている。
【００４０】
なお、現像ユニット８内において、供給ローラ１３および層厚規制ブレード１４の前側の空間には、トナーが収容されている。
【００４１】
スキャナユニット５は、本体ケーシング２の上下方向略中央において、プロセスユニット４の前側に配置されている。スキャナユニット５は、図示しないビームディテクトセンサを備えており、ビームディテクトセンサでレーザービームを受光した後、所定のタイミングで感光ドラム９に向けて画像データに基づくレーザービームＬを出射し、感光ドラム９の周面を露光する。
【００４２】
定着ユニット６は、本体ケーシング２の後上側端部において、プロセスユニット４の上側に配置されている。定着ユニット６は、加熱ローラ１５と、加熱ローラ１５に対して後上側から圧接される加圧ローラ１６とを備えている。
【００４３】
そして、プリンタ１に印刷ジョブが入力され、画像形成動作が開始されると、現像ユニット８内のトナーは、供給ローラ１３と現像ローラ１２との間で摩擦帯電され、層厚規制ブレード１４によって厚さが規制されて、一定厚さの薄層として現像ローラ１２の表面に担持される。
【００４４】
一方、感光ドラム９の表面は、スコロトロン型帯電器１１によって一様に帯電された後、スキャナユニット５によって露光される。これにより、感光ドラム９の表面には、画像データに基づく静電潜像が形成される。そして、現像ローラ１２に担持されるトナーが感光ドラム９の表面上の静電潜像に供給されることにより、感光ドラム９の表面上にトナー像が担持される。
【００４５】
本体ケーシング２の底部に設けられる用紙載置部１７に載置された用紙Ｐは、各種ローラの回転により、所定のタイミングで１枚ずつ、感光ドラム９と転写ローラ１０との間に給紙される。そして、用紙Ｐには、感光ドラム９と転写ローラ１０との間を通過するときに、トナー像が転写され、画像が形成される。
【００４６】
続いて、用紙Ｐは、加熱ローラ１５と加圧ローラ１６との間を通過するときに加熱および加圧される。このとき、用紙Ｐには、画像が熱定着される。その後、用紙Ｐは、本体ケーシング２の上壁に設けられる排紙トレイ１８に排紙される。
【００４７】
このように用紙Ｐは、プリンタ１の画像形成動作において、用紙載置部１７から排紙トレイ１８へ、側面視略Ｃ字状に搬送される。
２．本体ケーシング
本体ケーシング２は、図２および図３に示すように、筐体の一例としての外側フレーム３１と、フレームの一例としての内側フレーム３２とを備えている。なお、本体ケーシング２の構成については、後述する制御部４１が設けられる右端部の構成について詳細に説明し、左端部の構成について説明を省略する。
【００４８】
外側フレーム３１は、略ボックス形状に形成され、本体ケーシング２の外装を構成する。外側フレーム３１には、開口の一例としての排気口３３と、コネクタ露出開口３４と、電源コード露出開口３５とが形成されている。
【００４９】
排気口３３は、外側フレーム３１の右壁の上端部に配置されている。排気口３３は、複数のスリット３６から構成されている。
【００５０】
スリット３６は、外側フレーム３１の右壁を貫通し、前後方向に延びる略直線形状に形成されている。複数のスリット３６は、互いに等間隔を隔てて上下方向に並列配置されている。
【００５１】
コネクタ露出開口３４は、外側フレーム３１の後壁の右上側端部に配置されている。コネクタ露出開口３４は、外側フレーム３１の後壁を貫通する背面視略矩形状に形成されている。
【００５２】
電源コード露出開口３５は、外側フレーム３１の後壁の右上側端部に配置されている。電源コード露出開口３５は、外側フレーム３１の後壁を貫通する背面視略矩形状に形成されている。
【００５３】
内側フレーム３２は、図３および図６に示すように、外側フレーム３１の左右方向外壁の内側に間隔を隔てて配置されている。内側フレーム３２は、側面視略矩形の枠形状に形成されている。内側フレーム３２には、コネクタ露出部３８と、電源コード支持部３９とが設けられている。また、内側フレーム３２は、複数の係止部の一例としての係止リブ３７を備えている。
【００５４】
コネクタ露出部３８は、内側フレーム３２の後壁の上端部に配置されている。コネクタ露出部３８は、内側フレーム３２の後壁の右端縁から左側へ向かって切り欠かれるように、右端部が開放される背面視略Ｕ字形状に形成されている。
【００５５】
電源コード支持部３９は、内側フレーム３２の後壁の下端部に配置されている。電源コード支持部３９は、内側フレーム３２の後壁の右端縁から左側へ向かって切り欠かれるように、右端部が開放される背面視略Ｕ字形状に形成されている。
【００５６】
複数の係止リブ３７は、コネクタ露出部３８の前下側において、後述する高圧電源基板４４の変圧器４９の上側に、前後方向に間隔を隔てて２つ設けられている。係止リブ３７は、内側フレーム３２の左壁から右側へ突出し、上下方向に延びる略平板形状に形成されている。
３．制御部
本体ケーシング２内には、図３に示すように、右側の内側フレーム３２と外側フレーム３１との間において、上記した画像形成部３の動作を制御するための制御部４１が配置されている。なお、図示しないが、左側の内側フレーム３２と外側フレーム３１との間には、上記した画像形成部３に駆動力を入力するためのモータやギア列が配置されている。
【００５７】
制御部４１は、図４および図５に示すように、電源コード支持部材４２と、被覆板４３と、第２回路基板の一例としての高圧電源基板４４と、回路基板の一例としての制御回路基板４５と、被覆部材の一例としての絶縁カバー４６と、アース部材の一例としての支持基板４７とを備えている。
【００５８】
電源コード支持部材４２は、内側フレーム３２の後下側端部において、電源コード支持部３９に嵌合されている。電源コード支持部材４２は、前後方向に延びる略角柱形状に形成されている。電源コード支持部材４２は、電源コード４８を支持している。
【００５９】
電源コード４８は、図２および図４に示すように、電源コード支持部材４２を前後方向に貫通し、外側フレーム３１の電源コード露出開口３５を介して本体ケーシング２外に延びている。電源コード４８は、電源線４８Ａとアース線４８Ｂとを有し、図示しないコンセントなどの外部電源に電気的に接続される。
【００６０】
被覆板４３は、図４および図５に示すように、電源コード支持部材４２の前側に配置され、内側フレーム３２の下側半分に支持されている。被覆板４３は、ステンレスなどの金属材料から、前後方向に延びる側面視略矩形の平板形状に形成されている。被覆板４３は、その後下側端部において、電源コード４８のアース線４８Ｂにアースされている。また、被覆板４３と内側フレーム３２との間には、図示しない低圧電源基板が配置されている。図示しない低圧電源基板は、電源コード４８の電源線４８Ａに電気的に接続されており、外部電源から電源コード４８に入力された交流電流を直流電流に変換する。
【００６１】
高圧電源基板４４は、被覆板４３の上側において、内側フレーム３２に支持されている。高圧電源基板４４は、前後方向に延びる側面視略矩形の平板形状に形成されている。高圧電源基板４４は、図示しない低圧電源基板に電気的に接続されている。高圧電源基板４４は、変圧器４９を備えている。
【００６２】
変圧器４９は、高圧電源基板４４の後端部に配置され、高圧電源基板４４の左面に支持されている。変圧器４９は、樹脂製のケーシングを有し、略角柱形状に形成されている。変圧器４９は、図示しない低圧電源基板から入力された直流電流の電圧を所定の電圧に変換する。
【００６３】
なお、高圧電源基板４４は、制御回路基板４５によって制御されることにより、変圧器４９によって所定の電圧に変換された直流電流を、スコロトロン型帯電器１１、転写ローラ１０、現像ローラ１２および供給ローラ１３に供給する。
【００６４】
制御回路基板４５は、図３および図４に示すように、高圧電源基板４４の後端部の左上側に間隔を隔てて配置されている。制御回路基板４５の下端部は、左右方向に投影したときに、高圧電源基板４４の上端部に重なっている。制御回路基板４５は、絶縁カバー４６に被覆された状態で、支持基板４７を介して内側フレーム３２に支持されている。制御回路基板４５は、前後方向に延びる側面視略矩形の平板形状に形成されている。制御回路基板４５は、図示しない低圧電源基板に電気的に接続されるとともに、図７に示すように、信号配線６８を介して高圧電源基板４４に接続されている。制御回路基板４５は、図５および図６に示すように、コネクタ５０と、ＣＰＵ５１と、配線の一例としてのフラットケーブル５２とを備えている。また、制御回路基板４５には、複数の挿通穴５３が形成されている。
【００６５】
コネクタ５０は、制御回路基板４５の後端部に配置されている。コネクタ５０は、前後方向に延びる略角柱形状に形成されている。コネクタ５０は、その後端部が制御回路基板４５の後端縁よりも後側へ突出されるように、その左端部において、制御回路基板４５の右面に支持されている。すなわち、コネクタ５０の左端部は、制御回路基板４５に支持される支持部６７である。コネクタ５０としては、具体的には、ＵＳＢソケットが挙げられる。コネクタ５０には、図示しないが、例えば、ＵＳＢケーブルやＵＳＢメモリなどが接続される。
【００６６】
ＣＰＵ５１は、制御回路基板４５の前後方向略中央かつ上下方向略中央において、コネクタ５０の前側に間隔を隔てて配置されている。ＣＰＵ５１は、側面視略矩形の平板形状に形成されている。ＣＰＵ５１は、制御回路基板４５の右面に支持されている。
【００６７】
フラットケーブル５２は、その後端部において制御回路基板４５に接続され、制御回路基板４５の下端縁に沿うように、前側へ向かって延びている。フラットケーブル５２は、制御回路基板４５の下端縁と、内側フレーム３２の係止リブ３７との間に挟持されている。なお、フラットケーブル５２の前端部は、内側フレーム３２の前端部から露出され、スキャナユニット５に備えられる図示しないビームディテクトセンサの基板に電気的に接続されている。
【００６８】
複数の挿通穴５３は、制御回路基板４５の前下側端部と後上側端部と後下側端部とに１つずつ配置されている。挿通穴５３は、制御回路基板４５を貫通する側面視略円形状に形成されている。
【００６９】
支持基板４７は、図４および図６に示すように、高圧電源基板４４の後端部の左上側において、内側フレーム３２に支持されている。支持基板４７は、ステンレスなどの金属材料から、制御回路基板４５とほぼ同じサイズの側面視略矩形の屈曲平板形状に形成されている。支持基板４７は、第２部分の一例としての露出部５６と、複数の第１部分の一例としての台座５５とを備えている。
【００７０】
露出部５６は、支持基板４７の後端部の上下方向略中央から連続して右側へ延びる屈曲平板形状に形成されている。詳しくは、露出部５６は、支持基板４７の後端部から連続して後側へ延び、その後端部において右側へ屈曲されて右側へ延び、さらにその右端部において前側へ屈曲されている。露出部５６は、内側フレーム３２のコネクタ露出部３８内に嵌合されている。露出部５６には、コネクタ挿通開口５７が形成されている。
【００７１】
コネクタ挿通開口５７は、露出部５６の後壁を貫通するように、背面視略矩形状に形成されている。コネクタ挿通開口５７は、図２に示すように、外側フレーム３１のコネクタ露出開口３４を介して、本体ケーシング２の後側へ露出されている。コネクタ挿通開口５７内には、コネクタ５０の後端部が、コネクタ露出開口３４から露出されるように挿通されている。すなわち、支持基板４７の露出部５６は、コネクタ露出開口３４の周縁部において、コネクタ５０の周囲に配置されている。
【００７２】
複数の台座５５は、支持基板４７の前下側端部と後上側端部と後下側端部とに１つずつ配置されている。
【００７３】
前下側の台座５５は、支持基板４７の右面から右側へ延び、その右端部において下側へ屈曲された正面視略Ｌ字形状に形成されている。前下側の台座５５は、絶縁カバー４６の後述する切欠部６２を介して、制御回路基板４５の前下側端部に左側から接触されている。
【００７４】
後上側の台座５５は、支持基板４７の右面から右側へ延び、その右端部において前側へ屈曲された平面視略Ｌ字形状に形成されている。後上側の台座５５は、絶縁カバー４６の後述する切欠部６２を介して、制御回路基板４５の後上側端部に左側から接触されている。
【００７５】
後下側の台座５５は、露出部５６の下端部の左端縁から連続して前側へ延びる側面視略矩形状に形成されている。後下側の台座５５は、絶縁カバー４６の後述する切欠部６２を介して、制御回路基板４５の後下側端部に左側から接触されている。また、後下側の台座５５は、アース電極６５を介して、被覆板４３の後上側端部にアースされている。
【００７６】
また、複数の台座５５のそれぞれには、螺合穴５８が形成されている。
【００７７】
螺合穴５８は、台座５５を左右方向に貫通する側面視略矩形状に形成されている。
【００７８】
絶縁カバー４６は、図３および図６に示すように、絶縁性の樹脂材料から前後方向に延びる略角筒形状に形成されている。絶縁カバー４６は、第１絶縁部５９と、連結部６１と、絶縁部の一例としての第２絶縁部６０とを備えている。
【００７９】
第１絶縁部５９は、支持基板４７と制御回路基板４５との間に介在されている。第１絶縁部５９は、制御回路基板４５とほぼ同じサイズの側面視略矩形の平板形状に形成されている。第１絶縁部５９には、複数の切欠部６２が形成されている。
【００８０】
複数の切欠部６２は、第１絶縁部５９の前下側端部と後上側端部と後下側端部とに１つずつ配置されている。複数の切欠部６２のそれぞれは、複数の台座５５のそれぞれを受け入れるように、側面視略矩形状に切り欠き形成されている。
【００８１】
連結部６１は、第１絶縁部５９の上端部から連続して右側へ延びる平面視略平板形状に形成されている。
【００８２】
第２絶縁部６０は、連結部６１の右端部から連続して下側へ延びる側面視略平板形状に形成されている。第２絶縁部６０の下端部は、支持基板４７と高圧電源基板４４との間に配置されている。第２絶縁部６０は、閉鎖部の一例としての挿入部６３と、遮蔽部６４とを備えている。
【００８３】
挿入部６３は、第２絶縁部６０の後端部の上下方向略中央から連続して後側へ延び、その後端部において前側へ折り返されるように屈曲されている。挿入部６３の後端部は、図４および図７に示すように、コネクタ５０の右側において、コネクタ挿通開口５７に挿通されている。これにより、挿入部６３は、コネクタ５０の右端部と、露出部５６の右端部との隙間を閉鎖している。
【００８４】
遮蔽部６４は、図３および図５に示すように、第２絶縁部６０の下端縁から連続して左側へ延び、前後方向に長手の底面視略矩形状に形成されている。遮蔽部６４は、フラットケーブル５２の下側において、制御回路基板４５の下端縁と、内側フレーム３２の係止リブ３７との間に挟持されている。すなわち、遮蔽部６４は、フラットケーブル５２と、高圧電源基板４４の変圧器４９との間に配置されている。
【００８５】
そして、制御回路基板４５は、図４および図６に示すように、複数のねじ６６により、支持基板４７にねじ止めされている。
【００８６】
複数のねじ６６のそれぞれは、制御回路基板４５の複数の挿通穴５３のそれぞれを介して、支持基板４７の複数の螺合穴５８に螺合されている。ねじ６６は、金属からなり、その頭部において、制御回路基板４５の右面に接触されている。これにより、制御回路基板４５は、ねじ６６を介して支持基板４７の台座５５にアースされている。
４．作用効果
（１）このプリンタ１によれば、図４および図７に示すように、コネクタ５０や支持基板４７の寸法誤差に起因してコネクタ５０と支持基板４７の露出部５６との間に発生する隙間に、制御回路基板４５を被覆する絶縁カバー４６の挿入部６３を挿入し、隙間を閉鎖することができる。
【００８７】
そのため、コネクタ５０と支持基板４７との寸法誤差を許容しながら、コネクタ５０と露出部５６との隙間を、別の部材を設けることなく、絶縁カバー４６を利用して閉鎖することができる。
【００８８】
その結果、簡易な構成で、コネクタ５０と露出部５６との隙間を閉鎖でき、外側フレーム３１内に粉塵が入ることを抑制できる。
（２）また、このプリンタ１によれば、図４および図５に示すように、絶縁カバー４６は、制御回路基板４５の下端部と高圧電源基板４４の上端部との間に配置される第２絶縁部６０を備えている。
【００８９】
そのため、絶縁カバー４６の第２絶縁部６０により、制御回路基板４５と高圧電源基板４４とを絶縁することができる。
（３）また、このプリンタ１によれば、図４および図５に示すように、制御回路基板４５のフラットケーブル５２と、高圧電源基板４４の変圧器４９との間には、絶縁カバー４６の遮蔽部６４が配置されている。
【００９０】
変圧器４９の周囲にフラットケーブル５２などの配線が配置されていると、変圧器４９の樹脂製のケーシングが、変圧器４９と配線との間に発生する電界に起因して、電界内の気体中に発生するオゾンによって酸化されたり、電界内の気体中に含まれる荷電粒子が衝突したりして劣化し、ひいては、変圧器４９が故障するおそれがある。
【００９１】
しかし、このプリンタ１によれば、絶縁カバー４６の遮蔽部６４により、フラットケーブル５２と変圧器４９との間を遮蔽する。
【００９２】
そのため、変圧器４９とフラットケーブル５２との間に電界が発生することを抑制でき、変圧器４９の故障を抑制できる。
（４）また、このプリンタ１によれば、図５および図６に示すように、右側の内側フレーム３２には、遮蔽部６４を係止する係止リブ３７が設けられている。
【００９３】
そのため、遮蔽部６４を係止リブ３７に係止して、フラットケーブル５２と変圧器４９との間を、遮蔽部６４で確実に遮蔽できる。
（５）また、このプリンタ１によれば、図２（ａ）および図３に示すように、本体ケーシング２の外側フレーム３１には、制御回路基板４５に対向される排気口３３が形成されている。
【００９４】
そのため、排気口３３を介して、制御回路基板４５周辺の空気を排出することができる。
（６）また、このプリンタ１によれば、図４および図７に示すように、挿入部６３は、屈曲された状態で、支持基板４７の露出部５６とコネクタ５０との隙間内に配置されている。
【００９５】
そのため、支持基板４７の露出部５６とコネクタ５０との隙間に応じて挿入部６３を屈曲させて、簡易な構成で、確実に隙間を閉鎖することができる。
５．変形例
上記した実施形態では、コネクタ５０の一例としてＵＳＢソケットを挙げたが、コネクタ５０は、例えば、ＬＡＮケーブルが接続されるＬＡＮソケットであってもよい。
【符号の説明】
【００９６】
１      プリンタ
３      画像形成部
３１    外側フレーム
３２    内側フレーム
３３    排気口
３７    係止リブ
４１    制御部
４４    高圧電源基板
４５    制御回路基板
４６    絶縁カバー
４７    支持基板
４９    変圧器
５０    コネクタ
５２    フラットケーブル
５５    台座
５６    露出部
６０    第２絶縁部
６３    挿入部
６４    遮蔽部
６７    支持部
Ｐ      用紙
【図１】
2014108544.tif 000003
【図２】
2014108544.tif 000004
【図３】
2014108544.tif 000005
【図４】
2014108544.tif 000006
【図５】
2014108544.tif 000007
【図６】
2014108544.tif 000008
【図７】
2014108544.tif 000009